(57)【要約】【課題】外周壁によって外部空間と区画された居室内において、窓からの通風が得られやすく、あるいは着座位置において外部空間からの風による涼感が感じられやすい建物を提供する。【解決手段】外周壁３によって外部空間Ｅと区画された居室２と、外周壁３に設けられ、外部空間Ｅと居室２とを連通する辷り出し形式の窓４と、居室２における、開放状態での窓４の面の延長線上、もしくは延長線上にある壁２１又は床に沿って設置された着座装置と、を備える。【選択図】図１
2016041875.tif 000002
【特許請求の範囲】
【請求項１】
外周壁によって外部空間と区画された居室と、
前記外周壁に設けられ、前記外部空間と前記居室とを連通する辷り出し形式の窓と、
前記居室における、開放状態での前記窓の面の延長線上、もしくは延長線上にある壁又は床に沿って設置された着座装置と、
を備えたことを特徴とする建物。
【請求項２】
前記居室は平面視略矩形であり、
前記窓は、縦辷り出し窓であって、前記外周壁と直交する２つの直交壁のうち一方の直交壁の近傍、且つ他方の直交壁側が開放されるように設けられており、
前記着座装置は前記一方の直交壁に沿って設けられている、ことを特徴とする請求項１に記載の建物。
【請求項３】
前記居室は平面視略矩形であり、
前記窓は、縦辷り出し窓であって、前記外周壁と直交する２つの直交壁のうち一方の直交壁の近傍、且つ一方の直交壁側が開放されるように設けられており、
前記外周壁は、前記窓が開放される方向に延伸する延伸部を有する、ことを特徴とする請求項１に記載の建物。
【請求項４】
前記窓は、上部側が開く横辷り出し窓であって、天井近傍に設けられており、
前記外周壁は上方向に延伸する延伸部を有する、ことを特徴とする請求項１に記載の建物。
【請求項５】
前記窓は、上部側が開く横辷り出し窓であって、床近傍に設けられており、
前記着座装置は、座卓であることを特徴とする請求項１に記載の建物。
【請求項６】
前記窓は下部側が開く横辷り出し窓であって、床近傍に設けられており、
着座装置は、ベッド、ソファ、食卓セット、机セット等、床より高い位置に着座面を有するものであることを特徴とする請求項１に記載の建物。
【発明の詳細な説明】
【技術分野】
【０００１】
本発明は、建物に関する。
【背景技術】
【０００２】
日本国内の住宅建物において、外周壁に設けられる窓の形式としては、引き違い形式、あるいは特許文献１に記載された引込み形式のように外周壁に沿って平行に移動させて開閉する形式が一般的である。
【先行技術文献】
【特許文献】
【０００３】
【特許文献１】特開平８−５３９４３号公報
【発明の概要】
【発明が解決しようとする課題】
【０００４】
しかしながら、従来の建物における上記形式の窓は、風向や着座（床に着座しているときは当該着座位置）と窓位置との関係によっては、充分な通風が得られず、あるいは外部からの風向のよって室内風向が変わり、着座（床）位置において風が当たりにくく涼感を感じにくいことがあるという課題がある。
【０００５】
そこで、本発明は、外周壁によって外部空間と区画された居室内において、窓からの通風が得られやすく、あるいは着座位置において外部空間からの風による涼感が感じられやすい建物を提供することを目的とするものである。
【課題を解決するための手段】
【０００６】
上記課題を解決すべく、本発明に係る建物は、
外周壁によって外部空間と区画された居室と、
前記外周壁に設けられ、前記外部空間と前記居室とを連通する辷り出し形式の窓と、
前記居室における、開放状態での前記窓の面の延長線上、もしくは延長線上にある壁又は床に沿って設置された着座装置と、
を備えたことを特徴とする。
【０００７】
この建物においては、辷り出し形式の窓の開放向きと設置位置で室内風向が制御されている。すなわち、辷り出し形式の窓を開放状態とすると、外周壁に沿って流れる風が当該窓の受風面にあたって流れの向きを変え、居室内に導入される。このようにして外部空間から居室内に入り込んだ風は、当該窓の受風面の延長線上もしくは延長線上にある壁または床に沿って設置された着座装置の方向に流れることから、着座装置に着座する者に涼感を与えることができる。
【０００８】
上述の建物において、
前記居室は平面視略矩形であり、
前記窓は、縦辷り出し窓であって、前記外周壁と直交する２つの直交壁のうち一方の直交壁の近傍、且つ他方の直交壁側が開放されるように設けられており、
前記着座装置は前記一方の直交壁に沿って設けられていてもよい。
【０００９】
この建物は、外部空間から居室内に導入された風を一方の直交壁に沿って流れるようにすることができ、一方の直交壁に沿って設けられた着座装置に着座する者に効果的に涼感を与えることができる。
【００１０】
また、上述の建物において、
前記居室は平面視略矩形であり、
前記窓は、縦辷り出し窓であって、前記外周壁と直交する２つの直交壁のうち一方の直交壁の近傍、且つ一方の直交壁側が開放されるように設けられており、
前記外周壁は、前記窓が開放される方向に延伸する延伸部を有するものであってもよい。
【００１１】
この建物は、外周壁が延伸部を有していることから、風が外周壁に直交する方向に吹く際、より広い面積で風を受け止めることができ、風を効果的に室内に導入することができる。
【００１２】
また、上述の建物において、
前記窓は、上部側が開く横辷り出し窓であって、天井近傍に設けられており、
前記外周壁は上方向に延伸する延伸部を有するものであってもよい。
【００１３】
この建物は、外周壁が上方向に延伸する延伸部を有していることから、風が外周壁に直交する方向に吹く際、より広い面積で風を受け止めることができ、風を効果的に室内に導入することができる。
【００１４】
また、上述の建物において、
前記窓は、上部側が開く横辷り出し窓であって、床近傍に設けられており、
前記着座装置は、座卓であってもよい。
【００１５】
この建物は、外部空間から居室内に導入された風を床に沿って流れるようにすることができ、座卓を囲んで床に着座する者に効果的に涼感を与えることができる。
【００１６】
さらに、上述の建物において、
前記窓は下部側が開く横辷り出し窓であって、床近傍に設けられており、
着座装置は、ベッド、ソファ、食卓セット、机セット等、床より高い位置に着座面を有するものであってもよい。
【００１７】
この建物は、居室が１階の場合、地盤面に沿って流れ外周壁にぶつかって（上階の場合は下階の外周壁にぶつかって）上方に向きを変えた風を居室内に導入し、直接的に着座装置の方向に向かわせ、着座する者に涼感を与えることができる。
【発明の効果】
【００１８】
本発明によれば、外周壁によって外部空間と区画された居室内において、窓からの通風が得られやすく、あるいは着座位置において外部空間からの風による涼感が感じられやすい建物を提供することができる。
【図面の簡単な説明】
【００１９】
【図１】本発明の第１の実施形態を示す建物の居室の平面図である。
【図２】本発明の第２の実施形態を示す建物の居室の平面図である。
【図３】本発明の第３の実施形態を示す建物の居室の平面図である。
【図４】本発明の第４の実施形態を示す建物の居室の側面図である。
【図５】本発明の第５の実施形態を示す建物の居室の側面図である。
【図６】本発明の第６の実施形態を示す建物の居室の側面図である。
【図７】本発明の第６の実施形態における別例を示す建物の居室の側面図である。
【図８】本発明とは異なる構成の建物の居室を参考として示す平面図である。
【発明を実施するための形態】
【００２０】
以下、図面を参照しつつ本発明の実施形態について詳細に説明する（図１〜図７参照）。
【００２１】
本発明に係る建物は、居室と、窓と、を備えている。なお、図中で示しているのは建物のすべてではなくその一部のみであるが、符号１によって当該建物（の一部）を示している。
【００２２】
建物１の居室２は、外周壁３によって外部空間Ｅと区画されている。この居室２と外部空間Ｅとを区画する外周壁３には、辷り出し形式の窓４が設けられている。この窓４を開放状態とすることで、外部空間Ｅから居室２へと外気を取り入れることが可能となる。
【００２３】
＜第１の実施形態＞
本実施形態の建物１の居室２においては、窓４として縦辷り出し窓（回動軸が鉛直方向である辷り出し窓）を採用している。また、開放状態での窓４の面４１の延長線上に着座位置（図中、符号５で示す）が設定されている。窓４を開放した状態とすると、外周壁に沿って水平方向に流れる風が受風面４ａにあたることで窓４の受風面方向に流れの向きを変えて居室２に導入される。このようにして外部空間から入り込んだ風は、当該窓４の受風面４ａの延長線上に設置された着座位置５に向かって流れるので（図１、図８参照）、当該位置における着座者に涼感を与えることができる。
【００２４】
なお、上述のように窓４の受風面４ａの延長線上に着座位置５を設定する他にも、例えば、受風面４ａの延長線上にある居室２内の壁２１に沿って着座位置５を設定することができる。あるいは、窓４が横辷り出し窓であれば、開放した当該窓４の受風面４ａの延長線上にある居室２内の床２２に沿って着座位置５を設定することもできる。いずれの場合にも、開放した窓４から入り込んだ風を着座位置５に向かわせることができる。
【００２５】
着座位置５は、例えば、当該位置に椅子やソファといった着座装置（図６等において符号５１で示す）を設置することによって所望の位置に設定することができる。着座装置は可動式であってもよいし固定式であってもよいし、着座を誘発させるものでもよい。また、本明細書でいう着座は、狭義の着座姿勢のみならず、ここから派生しあるいはこの着座姿勢に続いて横たわった状態（仰臥姿勢、横臥姿勢などを含む）をも含むものとする。以上の観点からすれば、着座装置の具体例としては、上述した椅子やソファの他、座卓、カウンター、堀ごたつ、ピット（掘り下げ床）、ベッド、テレビ、床暖房、足湯、さらには座布団などを挙げることができる。
【００２６】
＜第２の実施形態＞
本実施形態の建物１においては、居室２は平面視略矩形であり、外周壁３に縦辷り出し形式の窓４を設けている。さらに、窓４は、当該窓４が設けられた外周壁３と直交する２つの直交壁８，９のうち一方の直交壁８の近傍位置（直交壁８寄りの位置）に配置され、尚かつ、他方の直交壁９側が開放されるように設けられている（図２参照）。さらに、着座位置５は、一方の直交壁８に沿うように設けられている。
【００２７】
この建物１では、外部空間Ｅから居室２内に導入された風を一方の直交壁８に沿って流れるようにすることができ、一方の直交壁８に沿って設けられた着座位置５に着座する者に効果的に涼感を与えることができる。また、窓４と他方の直交壁９との間隔が比較的広いことから、外周壁３に当たった風の多くを開放した窓４から居室２内に取り込みやすい（図２参照）。
【００２８】
なお、直交壁８，９は、間仕切り壁でもよいし、（窓４が設けられた）外周壁３と同様の外周壁（すなわち居室２と外部空間Ｅとを区画する壁）でもよい。
【００２９】
＜第３の実施形態＞
本実施形態の建物１においては、居室２は平面視略矩形であり、外周壁３に縦辷り出し形式の窓４を設けている。さらに、窓４は、直交する２つの直交壁８，９のうち一方の直交壁８の近傍位置（直交壁８寄りの位置）に配置され、尚かつ、当該一方の直交壁８側が開放されるように設けられている（図３参照）。さらに、外周壁３は、窓４が開放される方向に延伸する延伸部３１を有している（図３参照）。
【００３０】
この建物１では、外周壁３が延伸部３１を有していることから、風が外周壁３に直交する方向に吹く際、より広い面積で風を受け止めることができる。このため、開放した窓４から風を居室２へと効果的に導入することができる（図３参照）。
【００３１】
＜第４の実施形態＞
本実施形態の建物１における窓４は、上部側が開く横辷り出し窓である。また、この窓４は、居室２の天井近傍に設けられている（図４参照）。さらに、外周壁３は、上方向に延伸する延伸部３２を有する。延伸部３２は、例えば、居室２が１階である場合における建物１の２階部分の外周壁などである。
【００３２】
この建物１では、外周壁３が上方向に延伸する延伸部３２を有していることから、風が外周壁３に直交する方向に吹く際、より広い面積で風を受け止めることができる。このため、開放した窓４から風を居室２へと効果的に導入することができる（図４参照）。
【００３３】
＜第５の実施形態＞
本実施形態の建物１における窓４は、上部側が開く横辷り出し窓である。また、この窓４は、居室２の床２２の近傍に設けられている（図５参照）。着座位置５を形成する着座装置は、座卓や座布団、座椅子など床座の際に使用するものである。
【００３４】
この建物１では、外部空間Ｅから居室２内に導入した風を床２２に沿って流れるようにすることができる。このため、開放した窓４から居室２内へと導入した風を送り込み、座卓を囲んで床２２に着座する者に効果的に涼感を与えることができる。
【００３５】
＜第６の実施形態＞
本実施形態の建物１における窓４は、下部側が開く横辷り出し窓である。また、この窓４は、床２２の近傍に設けられている（図６、図７参照）。着座位置５を形成する着座装置５１は、ベッド、ソファ、食卓セット、机セット等、床より高い位置に着座面を有するものである（図６、図７参照）。
【００３６】
この建物１では、居室２が１階であれば、地盤面に沿って流れ外周壁３にぶつかって上方に向きを変えた風を居室２内に導入し、あるいは、居室２が上階であれば、下階の外周壁３にぶつかって上方に向きを変えた風を当該居室２内に導入することができる。また、着座位置が低い場合には、窓４をより大きく開くことによって低い位置に風を導き入れることができる（図７参照）。
【００３７】
なお、上述の実施形態は本発明の好適な実施の一例ではあるがこれに限定されるものではなく本発明の要旨を逸脱しない範囲において種々変形実施可能である。例えば、上述した実施形態においては、外部空間Ｅと居室２とを連通する辷り出し形式の窓４について種々の例を挙げつつ説明したが、この窓４の具体例が特に限定されることはなく、開き角度が調整でき外周壁に沿って流れる風の方向を変え、居室内に導くことができる窓であればよく、例えば、ヒンジ（蝶番）を回動軸として開く形式の窓（左右の一方を軸として他方が開く片開き窓、下端を軸として上端側が開く上開き窓、上端を軸として下端側が開く下開き窓）であってもよい。また、ガラス障子を備えたガラス窓であってもよいし、ガラス以外の素材を含む窓であってもよい。
【産業上の利用可能性】
【００３８】
本発明は、外部空間と居室とを連通する辷り出し形式の窓を備える建物に適用して好適である。
【符号の説明】
【００３９】
１…建物
２…居室
３…外周壁
４…辷り出し形式の窓
４ａ…（開放状態での窓の）受風面
５…着座位置
８，９…外周壁３と直交する２つの直交壁
２１…居室の壁
２２…居室の床
３１…外周壁の延伸部
３２…外周壁の上方向への延伸部
５１…着座装置
Ｅ…外部空間
【図１】
2016041875.tif 000003
【図２】
2016041875.tif 000004
【図３】
2016041875.tif 000005
【図４】
2016041875.tif 000006
【図５】
2016041875.tif 000007
【図６】
2016041875.tif 000008
【図７】
2016041875.tif 000009
【図８】
2016041875.tif 000010